(57)【要約】【課題】作物近傍の温度を効率よく上昇させることが、困難であることを、省エネで解消する。【解決手段】防霜・防凍装置は、高位置にあるファンは、高所より低所に暖気を吹降ろし、低位置にあるファンは、略水平方向に送風する。圃場には、ヒータを備える構造である。高位置にあるファンは、作物近傍の温度より、逆転層が生ずる高所の温度が高い場合にのみ運転し、その後、さらに作物近傍の温度低下が生じた場合には、ヒータを運転する。逆に、逆転層が生じうる高所の温度が、作物近傍の温度以下である場合には、高位置にあるファンは運転せず、ヒータ、及び／又は、低位置にあるファンを運転し、暖気を、略水平方向に送風し、凍霜害防止を図る。【選択図】図１
2015221003.tif 000002
【特許請求の範囲】
【請求項１】
圃場に立設された柱の先端部近傍位置に、圃場の所定範囲に風を吹き下ろす第１のファンと、柱の第１ファンの下方数メートルの位置に第２ファンを配設するとともに、第１のファンからの風の影響を受けない位置で、少なくとも、逆転層の生ずる高所に第１センサを、地表に近い高さで第１、第２のファンの風の影響を受けない位置に第２センサを、圃場で栽培する作物の略中心辺りに第３センサを、それぞれ設け、圃場には一基または数基のヒータを配置した構成であって、
第１センサの検出値と、第２センサの検出値との間における温度が、第２センサの温度よりも第１センサの温度が高い状況では、第１ファンを運転し、第１ファン運転後において、第１設定温度以下で、かつ第３センサの検出値が、第２設定温度以下であればヒータを運転、及び／又は、第２ファンを運転する構成と、
また、第３センサの検出値が、第２設定温度以下で、かつ第１センサの検出値と、第２センサの検出値との間における温度が、第２センサの温度よりも第１センサの温度が低い状況では、ヒータ、及び／又は、第２ファンを運転し、ヒータ運転と第２ファン運転後において、第３センサの検出値が、第２設定温度を超えている場合は、ヒータと、第２ファン運転を停止させることを、少なくとも、備えた制御を可能とすることを特徴とする構成とした防霜・防凍装置。
【請求項２】
前記圃場には、当該圃場で栽培される作物の側方からの空気の流入、流出を妨げるとともに、前記ヒータからの熱風のロスをなくすために、前記第２ファン、及び／又は、前記第１ファンで送る送風域を、遮蔽物で仕切る構成とした請求項１に記載の防霜・防凍装置。
【請求項３】
前記第１・第２ファンの双方か、又は何れか一方に、この第１・第２ファンを囲む保護部材を設ける構成とした請求項１に記載の防霜・防凍装置。
【発明の詳細な説明】
【技術分野】
【０００１】
本発明は、作物の防霜・凍害防止を行う防霜・防凍装置に関する。
【背景技術】
【０００２】
梨、林檎、桃、葡萄、ビワ等の農作物の防霜、防凍（凍霜害）対策として、防霜ファンによる送風法が簡便であり、重宝されている。しかしながら、昨今の近年の自然環境は、暖冬であっても、局所、又は日により、極めて、区々であり低温状況となることが多くなったのが現況である。確かに、暖冬では、農作物の生育が早まり有益である。しかし、特に、注意が必要な場合は、晩霜が発生する４月上旬から５月上旬において、農作物の低温に対する抵抗性が急速に低下する発芽期から幼果期等の時期と重なることや、例年の最低気温時よりも強い寒気が入り込み気温が低下することで晩霜被害が発生し易く、また４月下旬から５月中旬の雷雨後に凍害が同様に発生するなど、局所の微気象でも作物障害が発生し、かっ深刻化な状況に成り易いのが現況である。その他として、例えば、地形によっての影響もあり、冷気が溜まる窪地や周囲が覆われていて風当たりの少ない場所は、微気象に関係なく被害が発生し易い。
【０００３】
この防霜ファンによる防霜、防凍防止対策では、前記の自然環境の変化や、この自然環境による作物の生育の変化に対し、十分に対応できていないのが現況であり、例えば、気温が−３℃以下となる場合は、暖房機との併用、又は燃焼装置との併用等が考えられ、一部で実施されている。
【０００４】
そこで、解決策の一環として、昨今、良く議論され、一部で実施されている方法として、下記のような手段がある。固形燃料や不燃材に燃料を染込ませた物を燃焼させて行う手段と、バーナーを組込んだ暖房機等の燃焼装置を用いた燃焼法による手段、或いは、水と氷が存在している状況では気温に関係なく０℃が保たれるという原理を利用した散水氷結法の手段、等がある。
【０００５】
しかしながら、前記手段では、有効である反面、問題もある。例えば、燃焼法手段では、燃料費の高騰による経済的な問題と、地球温暖化防止が必要とされている状況であり(燃焼量の削減が望まれている状況であり)、問題である。また、散水氷結法手段では、散水が不十分な場合には凍霜害を助長するため、例えば、１０００ｍ２で、１時間当たり４ｔの多量の水の確保や排水対策が必要なこと、等が問題となる。
【０００６】
前記併用型として、実開昭５０−１７４４２号公報の防霜ファンと暖房機との組合せ、又は実開昭５４−４４１号公報のファンと燃焼装置との組合せ、或いは、特開平９−１２１６９５号公報の防霜ファンとヒータとの組合せ、等がある。その他として、特開平７−１１５８５５号公報の防霜ファンと温風機との組合せ、がある。また、防霜ファンの活用として、特開２００７−１２９９７８号公報において、防霜ファンを効率的に使用するために、複数のセンサを利用し、凍解後の作物の細胞破壊を最小限とする発明がある。
【先行技術文献】
【特許文献】
【０００７】
【特許文献１】実開昭５０−１７４４２号公報
【特許文献２】実開昭５４−４４１号公報
【特許文献３】特開平７−１１５８５５号公報
【特許文献４】特開平９−１２１６９５号公報
【特許文献５】特開２００７−１２９９７８号公報
【発明の概要】
【発明が解決しようとする課題】
【０００８】
以上で説明した文献１、２、４では、単に、併用した構造の範疇であり、例えば、発育程度別の危険限界温度を基準として、圃場に適する温度制御手段、又は方法等は開示されていない。尚、参考として、果樹別の発育程度別の危険限界温度を示した資料を図１０及び図１１に示す。
【０００９】
また、前記文献１、２、４では、温度制御のための必要条件である、例えば、温風送風始動時と、送風方向設定、又はヒータの的確な制御等に関しての説明が十分ではないと考えられる。
【００１０】
さらに、前記文献３、５では、圃場の周囲地域状況とか、圃場の冷気の流れ方向等の圃場独自条件設定と、防霜ファンの設置方向（柱高さ、柱に取付けるファン数等）、及び／又は、送風方向等の物理的条件設定とに関しての説明が十分ではないと考えられる。
【００１１】
上記に鑑み、本発明は、：  第１に、果樹別の発育程度別の危険限界温度を基本とし、作物の近傍の温度を効率よく上昇させることが可能な防霜・防凍装置を提供する。：第２に、温風送風始動時と、送風方向等の設定に関したプログラムを備え、かつ作物毎の生育段階、又は品種、環境等で、危険限界温度が異なることを考慮し、最適な運転状況が図れるシステムを備えた防霜・防凍装置を提供する。：  第３に、圃場温度条件と、作物毎の生育段階、又は品種、環境等で、危険限界温度が異なることを考慮し、最適な運転状況が図れるシステムを備えた防霜・防凍装置を提供する。：  第４に、作物体温は、夜間は葉面から熱を放射するので、表面温度が、外気より１〜１．５℃下がる。そこで、空気を拡散し、作物葉面の体温（作物の近傍の温度）低下を防ぎ、かつ外気との温度差を少なくし、生育環境が確保できる防霜・防凍装置を提供する。：  第５は、ファンとヒータとの相乗効果が期待できるシステムを備えた防霜・防凍装置を提供する。
【課題を解決するための手段】
【００１２】
上記目的を達成するために、本発明は、請求項１〜３に係る防霜・防凍装置を提供する。
【発明の効果】
【００１３】
請求項１の発明は、
圃場に立設された柱の先端部近傍位置に、圃場の所定範囲に風を吹き下ろす第１のファンと、柱の第１ファンの下方数メートルの位置に第２ファンを配設するとともに、第１のファンからの風の影響を受けない位置で、少なくとも、逆転層の生ずる高所に第１センサを、地表に近い高さで第１、第２のファンの風の影響を受けない位置に第２センサを、圃場で栽培する作物の略中心辺りに第３センサを、それぞれ設け、圃場には一基または数基のヒータを配置した構成であって、
【００１４】
第１センサの検出値と、第２センサの検出値との間における温度が、第２センサの温度よりも第１センサの温度が高い状況では、第１ファンを運転し、第１ファン運転後において、第１設定温度以下で、かつ第３センサの検出値が、第２設定温度以下であればヒータを運転、及び／又は、第２ファンを運転する構成と、
【００１５】
また、第３センサの検出値が、第２設定温度以下で、かつ第１センサの検出値と、第２センサの検出値との間における温度が、第２センサの温度よりも第１センサの温度が低い状況では、ヒータ、及び／又は、第２ファンを運転し、ヒータ運転と第２ファン運転後において、第３センサの検出値が、第２設定温度を超えている場合は、ヒータと、第２ファン運転を停止させることを、少なくとも、備えた制御を可能とすることを特徴とする構成とした防霜・防凍装置である。
【００１６】
これにより、請求項１では、前記第１〜第５の目的と効果を、ファンとヒータとを利用して達成できる。
【００１７】
請求項２の発明では、
圃場には、圃場で栽培される作物の側方からの空気の流入、流出を妨げるとともに、ヒータからの熱風のロスをなくすために、第２ファン、及び／又は、第１ファンで送る送風域を、遮蔽物で仕切る構成とした請求項１に記載の防霜・防凍装置である。
【００１８】
これにより、請求項２では、前記第１〜第５の目的と効果を、補助手段を併用することで、確実に達成できる。
【００１９】
請求項３の発明では、
第１・第２ファンの双方か、又は何れか一方に、この第１・第２ファンを囲む保護部材を設ける構成とした請求項１に記載の防霜・防凍装置である。
【００２０】
これにより、請求項３では、前記第１〜第５の目的と効果、並びに安全性が担保される。
【図面の簡単な説明】
【００２１】
【図１】第１実施形態に係る柱が定寸で、第１ファンとヒータによる防霜・防凍装置の構成を示す図である。
【図２】第２実施形態に係る柱が定寸で、第１・第２ファンとヒータによる防霜・防凍装置の構成を示す図である。
【図３】ファンの実施形態の拡大模式図であり、（ａ）は保護部材無し、（ｂ）は保護部材付きを示す。
【図４】第３実施形態に係る柱が伸縮式で、伸びた状態の防霜・防凍装置の第１実施形態の第１ファンに代替する構成を想定した模式図である。
【図５】第３実施形態に係る柱が伸縮式で、縮んだ状態の防霜・防凍装置の第２実施形態の第２ファンに代替する構成を想定した模式図である。
【図６】第１実施形態に係る防霜・防凍装置の動作を示すフローチャートである。
【図７】第２実施形態に係る防霜・防凍装置の動作を示すフローチャートである。
【図８】第２実施形態のその他１に係る防霜・防凍装置において、防鳥・防災ネットを、地面の上側(第１ファンの下側)に張装した状態の模式図である。
【図９】第２実施形態のその他２に係る防霜・防凍装置において、防鳥・防災ネットを、圃場の所定エリア(第１／第２ファンの送風エリア)に張装した状態の模式図である。
【図１０】危険限界温度の第１の例を示す図である。
【図１１】危険限界温度の第２の例を示す図である。
【発明を実施するための形態】
【００２２】
以下、本発明の実施形態について図面を参照しながら詳細に説明する。
【００２３】
（第１実施形態）
図１は、本発明の第１実施形態に係る防霜・防凍装置１の構成を示す図である。防霜・防凍装置１は、圃場Ａに屹立している多数の柱１０１(建柱、伸縮する建柱)、１０２………（柱１０１とする。以後、多数は、単独で説明する）と、この柱１０１の上部１０１ａに設けた、一基、又は数基の第１ファン１１０ａ（高所ファン）と、該柱１０１の下部１０１ｂ、又は圃場Ａ内の適所に設けた一基、又は数基のヒータ１２０と、また、柱１０１の近傍で、かつ上部１０１ａに設けた第１センサ１３０ａ（第１温度センサ）、及び、下部１０１ｂに設けた第２センサ１３０ｂ（第２温度センサ）と、圃場Ａの作物２００の近傍の温度（作物２００の葉面の温度）を検出する一基、又は数基の第３センサ１３０ｃ（第３温度センサ）と、で構成する。
【００２４】
この第１センサ１３０ａ（Ｈセンサ）は、少なくとも、第１ファン１１０ａからの風、及び／又は、自然風等を受けない位置に設ける。そして、望ましくは、ヒータ１２０の温度の影響を受けない位置に設ける。また、この第２センサ１３０ｂ（Ｌセンサ）で、第１ファン１１０ａからの風、及び／又は、ヒータ１２０の温度等の影響を受けない位置に設ける。そして、望ましくは、自然風の影響を受けない位置に設ける。例えば、この第２センサ１３０ｂ（Ｌセンサ）は、本出願人に係る特許文献５における、凍霜害を受けやすい位置に設置したＬセンサとは、全く異なる。しかし、後述する、今回の第３センサの設置位置は、原則として、特許文献５のＬセンサに近いと考えられる。
【００２５】
この第１センサ１３０ａと、第２センサ１３０ｂ、並びに第３センサ１３０ｃ（後述する）を設ける位置は、その目的と役割により決定される。例えば、温度（気温）を正確に測定すること、暖気を確実に送風することによって（目的に適合するように）、第１ファン１１０ａと、第２ファン１１０ｂ、或いはヒータ１２０を、運転、又は運転停止すること、並びに、防霜、及び／又は、防凍（凍霜害）を、確実に達成することにある。
【００２６】
この第１ファン１１０ａは、モータと首振り・俯角機構等を内設する。第１ファン１１０ａは、図示しない、コントローラからの指令でＯＮ、ＯＦＦされる。
【００２７】
第１センサ１３０ａは、逆転層Ｘの生じうる高所の温度を検出する。また、第２センサ１３０ｂは、地面、及び／又は、その近傍の温度を検出する。尚、後述するようにヒータ１２０の運転時は、検出しないようにコントロールする制御も有り得る。例えば、後述する第１設定温度Ｂ以上か未満かの判断を行わないようにすることで、自然に吹く風（気流の変化）の影響を受けてしまった際に、第２センサ１３０ｂがヒータ１２０の暖気を検出し、第１ファン１１０ａの送風が有効な状況下にも関わらず誤って停止させることをなくする。
【００２８】
この第１センサ１３０ａの検出値と、第２センサ１３０ｂの検出値との温度差が、第１センサ１３０ａの検出値＞第２センサ１３０ｂの検出値では、経験則よりして、空中の所定箇所に、逆転層Ｘが生じていると推定できる。換言すれば、経験則よりして、第１設定温度Ｂ以上では、空中の所定箇所に、逆転層Ｘがあること、また、第１設定温度Ｂ未満では、逆転層Ｘがないこと、をそれぞれ示す。
【００２９】
第３センサ１３０ｃは、圃場Ａの作物２００の葉面付近か、又は作物の近傍の温度(気温)『作物２００の近傍の温度とする』を検出し、逆転層Ｘの有無に関係なく、ヒータ１２０をＯＮ、ＯＦＦする。例えば、逆転層Ｘがあっても外気の冷え込みが厳しく、逆転層Ｘの暖かい空気を第１ファン１１０ａで第１送風しても圃場Ａに対しての熱量供給が足りず、圃場Ａの温度が危険限界温度まで下がる危険性が高まっている場合、又は逆転層Ｘが無く、圃場Ａの温度が危険限界温度まで下がる危険性が高まっている場合等に働く機能を備えている。
【００３０】
前記第１設定温度Ｂとは、第１センサ１３０ａの検出値と比較し、制御装置に対して制御を開始する温度であり、第１設定温度Ｂ以上か（含むかもしくは超えるか）、又は未満か（超えないか）の基準として、コントローラより、制御装置に対して、ＯＮ、ＯＦＦの指令を行い、第１ファン１１０ａ、第２ファン１１０ｂ、又はヒータ１２０の運転停止を図る。
【００３１】
第２設定温度Ｃは、第３センサ１３０ｃの検出値と比較し、ヒータ１２０に対してＯＮ、ＯＦＦの指令を出す温度であり、第２設定温度Ｃ以上か（含むかもしくは超えるか）、又は未満か（超えないか）の基準として、コントローラより、ヒータ１２０に対してＯＮ、ＯＦＦの指令を行う。
【００３２】
この第１設定温度Ｂ以上（含むかもしくは超えている）か、又は未満（第１設定温度Ｂを含まず）かを決定する基準は、次のような、状況を考え設定する。例えば、樹種や生育ステージを考慮するが、一般的には、図１０、図１１である。これを参考として、説明すると、開花から幼果期の場合には、経験則よりして、作物２００の近傍の温度が−１℃未満（−１℃を含まず）になると凍霜害が発生する状況であって、被害が発生するので、この温度を基準とし、予め、かつ早めに対応することと逆転層Ｘがある場合を考慮し、２℃とする。また、後述する、第２設定温度Ｃの基準は、燃焼量を抑えることを考慮し、０℃とする。
【００３３】
図６に示した、第１実施形態においては、
『１』圃場Ａにおいて第２センサ１３０ｂの検出値が、第１設定温度Ｂ以下か、越えているか、を判断する（ＳＴ−１）。例えば、第２センサ１３０ｂの検出値が、２℃以下であれば、第１設定温度Ｂ以下となり、凍霜害発生の危険性があるので、ＹＥＳとなり、次（ＳＴ−２）に進む。一方、第２センサ１３０ｂの検出値が、２℃を超えていれば、第１設定温度Ｂを超えているので、ＮＯとなり、凍霜害発生の危険性がなく、元に戻る。
【００３４】
『２−ｙ』（ＳＴ−２）において、第２センサ１３０ｂの検出値と、第１センサ１３０ａの検出値とを比較検討する。例えば、第１センサ１３０ａの検出値が、第２センサ１３０ｂの検出値を超えていれば、ＹＥＳとなり、温度差が有り、逆転層Ｘがあると考えられるので、次（ＳＴ−３）に進む。即ち、第１ファン１１０ａを運転する（ＳＴ−３）。
【００３５】
『２−ｎ』また、温度差がないと、ＮＯとなり、逆転層Ｘがないと考えられ、同温または冷たい空気を送り込む必要はないので、第１ファン１１０ａを運転させず、（ＳＴ−３）の先に進む。
【００３６】
『３−ｙ』続いて、第３センサ１３０ｃが作物２００の近傍の温度を検出する（ＳＴ−４）。逆転層がなく、第１ファン１１０ａが運転されていない『２−ｎ』の場合は、圃場Ａに対しての熱量供給がなく、圃場Ａを取り巻く外気の温度が下がるにつれ、この第３センサ１３０ｃの検出値（温度）が低くなっていく。また、『２−ｙ』の逆転層Ｘが存在（第１ファン１１０ａを運転）し、この暖かい空気を第１ファン１１０ａで送っている場合であっても、冷え込みが厳しくなって、第１ファン１１０ａの送風による、圃場Ａに対しての熱量供給では足りず、圃場の温度が危険限界温度まで下がる危険性が高まっている場合もあり、この場合も、この第３センサ１３０ｃの検出値（温度）が低くなっていく。従って、『２−ｎ』及び『２−ｙ』の後において、共に０℃になった時は、ヒータ１２０の運転が必要なためＹＥＳとなり、ヒータ１２０の運転をする（ＳＴ−５）。
【００３７】
『３−ｎ』一方、第３センサ１３０ｃの検出値が、０℃を超えていれば、第２設定温度Ｃを超えているので、ＮＯとなり、凍害発生の危険性がなく、さらに先の後述する（ＳＴ−８）の前に進む。
【００３８】
『４−ｙ』（ＳＴ−５）のヒータ１２０の運転『３−ｙ』後において、第３センサ１３０ｃが作物２００の近傍の温度を検出する（ＳＴ−６）。検出値が、０℃を超えている時は（第２設定温度Ｃを超えており）、凍害の危険性がないので、ＹＥＳとなり、ヒータ１２０の運転を停止する（ＳＴ−７）。
【００３９】
『４−ｎ』尚、検出値が、０℃以下の時は（第２設定温度Ｃ以下であり）、凍害の危険性があるので、ＮＯとなり、（ＳＴ−５）の前に戻る（ヒータ１２０運転の継続）。
【００４０】
『５−ｙ』ヒータ１２０停止（ＳＴ−７）後、第１ファン１１０ａが運転しているか確認し、（ＳＴ−８）、第１ファン１１０ａが運転している場合には、ヒータ１２０停止後も第１ファン１１０ａを運転させ、第２センサ１３０ｂの気温を検出し（ＳＴ−９）、検出値が、２℃を超えるまで（第１設定温度Ｂを超えるまで）運転を継続し、２℃を超えることで、ＹＥＳとなり、第１ファン１１０ａの運転を停止する（ＳＴ−１０）。
【００４１】
『５−ｎ』この（ＳＴ−８）において、第１ファン１１０ａが運転していない場合は、ＮＯであり、最初に戻る。
【００４２】
前述の内容、即ち、ループの趣旨を説明すると、『（ＳＴ−２）のＮＯ判定『２−ｎ』（第１ファンは運転せず）を経由した』（ＳＴ−４）のＮＯ判定『３−ｎ』（ヒータ１２０は運転せず）後の場合は、（ＳＴ−８）はＮＯ判定となる。これは、ヒータ１２０を運転する必要が無いものの、（ＳＴ−１）ＹＥＳ判定となる状態が続いていれば、凍霜害の危険性が継続されていることとなるので（ＳＴ−１）の前に戻るが、引き続いて（ＳＴ−１）ＹＥＳ、（ＳＴ−２）ＮＯを経て、第３センサ１３０ｃの温度が第２設定温度Ｃ以下にならないかの確認を繰り返す。この繰り返しは、圃場Ａを取り巻く外気の温度（外気温）が上がって（ＳＴ−１）に戻り、繰り返すが、第２センサ１３０ｂの温度が第１設定温度Ｂを超え、凍霜害の危険性が完全になくなるまで繰り返される。
【００４３】
（第２実施形態）
図２は、本発明の第２実施形態に係る防霜・防凍装置１の構成を示す図である。防霜・防凍装置１は、圃場Ａに屹立している多数の柱１０１と、柱１０１の上部１０１ａに設けた、一基、又は数基の第１ファン１１０ａ（ファン）と、及び、柱１０１の中間１０１ｃに設けた、一基、又は数基の第２ファン１１０ｂ（中間箇所ファン）、並びに柱１０１の下部１０１ｂ、又は圃場Ａ内の適所に設けた一基、又は数基のヒータ１２０と、柱１０１の近傍で、かつ前記下部１０１ｂに設けたコントローラ、並びに上下部１０１ａ、１０１ｂに設けた第１センサ１３０ａと、第２センサ１３０ｂと、圃場Ａの作物２００の近傍の温度を検出する一基、又は数基の第３センサ１３０ｃと、で構成する。
【００４４】
各構成の仕組みは、前述の第１実施形態に準ずる。その他として、第２実施形態では、第２ファン１１０ｂは、原則として、水平設置であり、水平方向への首振りは可能である。
【００４５】
図７に示した、第２実施形態においては、（ＳＴ−１１）〜（ＳＴ−１４）は、前記第１実施形態の（ＳＴ−１）〜（ＳＴ−４）と同じである。
【００４６】
この（ＳＴ−１４）において、第３センサ１３０ｃが作物２００の近傍の温度を検出し、検出値が、０℃以下の時は（第２設定温度Ｃ以下であって）、危険限界温度まで下がり、凍害が発生する危険性が高まっているので、ＹＥＳとなる。続いて、第１ファン１１０ａが運転しているか確認する（ＳＴ−１５）。例えば、第１ファンが運転していれば、ＹＥＳとなる。これは、その前の（ＳＴ−１２）にてＹＥＳ（逆転層あり）の状態であることを示しているので、そのまま第１ファンの運転を継続した状態で（ＳＴ−１７）へ進む。
【００４７】
逆に第１ファンが運転していなければＮＯとなる。これは、その前の（ＳＴ−１２）にてＮＯ（逆転層なし）の状態であることを示しているので、第２ファン１１０ｂを運転（ＳＴ−１６）した状態で（ＳＴ−１７）へ進む。この第２ファン１１０ｂの運転により、送風方向１６１（１５１）の風の流れを利用し、作物２００の周辺に吹出された暖気を、上方に逃がさないようにする（図２、図８、図９参照）。
【００４８】
また、（ＳＴ−１４）において、第３センサの検出値が０℃を超える場合は、ＮＯとなり、ヒータを運転する必要が無いものの、（ＳＴ−１１）にてＹＥＳ判定となる状態が続いていれば、凍霜害の危険性が継続されていることとなるので後述する（ＳＴ−２１）の前に到る。
【００４９】
（ＳＴ−１７）を経由した後において、第３センサ１３０ｃが作物２００の近傍の温度を検出する（ＳＴ−１８）。検出値が、０℃を超えている時は（第２設定温度Ｃを超えているので）、圃場Ａの温度が危険限界温度まで下がる危険性が少なくなり、ＹＥＳとなり、ヒータ１２０の運転をする停止する（ＳＴ−１９）。この検出値が、０℃以下の時は（第２設定温度Ｃ以下であって）、圃場Ａの温度が危険限界温度まで下がる危険性が高いままなので、ＮＯとなり、（ＳＴ−１７）の前に戻る。
【００５０】
ヒータ１２０の運転を停止（ＳＴ−１９）したのちは、第１ファン１１０ａが運転しているか確認する（ＳＴ−２０）。第１ファンが運転していない時は、ＮＯとなり、第２ファンが運転していることを示しているので第２ファンを停止させる（ＳＴ−２３）。この後は、最初に戻る。
【００５１】
逆に第１ファン１１０ａが運転している時は、ＹＥＳとなり、ヒータ停止後も第１ファンの運転を継続させ、第２センサの気温を検出し（ＳＴ−２１）、検出値が、２℃（第１設定温度Ｂ）を超えて（凍霜害の危険性がなくなって）いれば、ＹＥＳとなり、第１ファン１１０ａの運転を停止する（ＳＴ−２２）。また第２センサの気温を検出し（ＳＴ−２１）、検出値が、２℃以下ならばＮＯとなり、（ＳＴ−１２）の前に戻り、第１ファンの運転を継続させるか、またはヒータや第２ファンを再度運転させるか（ＳＴ−１２）以降の監視および動作を繰り返す。
【００５２】
図３（ａ）は、第１ファン１１０ａの拡大側面図であり、下向きに吹き降ろす状態を矢視しており、図３（ｂ）は、第１ファン１１０ａ、又は、第２ファン１１０ｂ、その他のファンの羽根等の破損時の飛散防止、又は人体や物に対しての保護を意図して、ガード１１４を設ける。図中１１１は回転軸、１１２は羽根、図中１５１と１６１は送風方向を示す。
【００５３】
（第３実施形態）
図４、図５は、第１ファン１１０ａ（第２ファン１１０ｂを代替する）は、伸縮する柱１０１の上部１０１ａに取り付けられている。例えば、柱１０１は、コントローラの制御によって伸縮可能であり、第１ファン１１０ａは、柱１０１の伸縮に伴って上下方向に移動する。図４は第１ファン１１０ａが高位置にある状態を示し、図５は第１ファン１１０ａが中部１０１ｃにある状態を示す。即ち、第２実施形態に準じた働きを、代替した第１ファン１１０ａで行うことで、省設備と省コスト化等を図る。
【００５４】
（第２実施形態のその他１、２）
図８、図９は、本発明の第２実施形態に係る防霜・防凍装置１の構成であり、その他の１、２を示す図である。
【００５５】
図８のその他１の防霜・防凍装置１では、圃場Ａに設けた果樹棚Ｂを、第１ファン１１０ａ、或いは第２ファン１１０ｂの下側（上側も可能）)に、防鳥・防災ネットＣ等の保護資材を、圃場Ａに張装する構造である。従来の果樹棚Ｂと同様な効果を期待できる。この第２実施形態のその他１では、前述した第１実施形態に比し、暖気の圃場Ａからの拡散防止と、霜の発生とか、冷気の圃場Ａへの侵入防止や抑制等が期待でき、かつ凍害の防止効果と、省エネに有効である。
【００５６】
また、図９のその他２の防霜・防凍装置１では、圃場Ａの周辺で、望ましくは、第１ファン１１０ａとか第２ファン１１０ｂの送風エリア（送風範囲１５２、１６２）の範囲内に、保護資材を設けた構造であって、暖気の圃場Ａからの拡散防止と、効率的な防霜・防凍達成等を図る。
【００５７】
図１０は、刊行物より引用した、危険限界温度の第１の例を示すものである。また、図１１も同様に、刊行物より引用した、危険限界温度の第２の例を示すものである。本発明において、有益な資料として示した。
【００５８】
本発明は、本発明の広義の精神と範囲を逸脱することなく、様々な実施形態及び変形が可能とされるものである。上述した実施形態は、本発明を説明するためのものであり、本発明の範囲を限定するものではない。
【００５９】
また、請求項に第１ファン１１０ａと第２ファン１１０ｂ、或いは第１センサ１３０ａ〜第３センサ１３０ｃ等の如く、区別するための、記号を入れたが、台数に限定されるものでない。
【符号の説明】
【００６０】
１  防霜・防凍装置
１０１  柱
１０１ａ  上部
１０１ｂ  下部
１０１ｃ  中部
１１０ａ  第１ファン
１１０ｂ  第２ファン
１１１  回転軸
１１２  羽根
１１４  ガード
１２０  ヒータ
１３０ａ  第１センサ
１３０ｂ  第２センサ
１３０ｃ  第３センサ
１５１、１６１  送風方向
１５２、１６２  送風範囲
２００  作物
Ａ  圃場
Ｂ  果樹棚
Ｃ  防鳥・防災ネット
Ｘ  逆転層
【図１】
2015221003.tif 000003
【図２】
2015221003.tif 000004
【図３】
2015221003.tif 000005
【図４】
2015221003.tif 000006
【図５】
2015221003.tif 000007
【図６】
2015221003.tif 000008
【図７】
2015221003.tif 000009
【図８】
2015221003.tif 000010
【図９】
2015221003.tif 000011
【図１０】
2015221003.tif 000012
【図１１】
2015221003.tif 000013
【手続補正書】
【提出日】平成26年10月8日(2014.10.8)
【手続補正１】
【補正対象書類名】図面
【補正対象項目名】図７
【補正方法】変更
【補正の内容】
【図７】
2015221003.tif 000014